(57)【要約】  本発明は、料理される料理の調理及び好ましくはパエリヤの調理において、経験の浅い使用者を助けるのに役立つ、教示的な料理容器に関する。本発明は、本質的に円形構成を含み、材料を受け入れるようになっている内面を画成することができるように、ベース（２）及び周囲壁（３）によって形成される。加えて、つば（４）が、前述の壁（３）の全周に沿って配置され、所定の料理をどのように調理すべきかについて調理法の形態で教示として役立つ図形文字（５）が設けられる。創意に富む容器は、また、必要な材料の量に比例する領域を画成する分割マーク（８−１１）を備える。
2008528153.tif 000002
【特許請求の範囲】
【請求項１】
特定の料理の調理に必要な材料を受け入れるようになった内面を区切るベース及び周囲壁からなる講義形式の料理容器において、前記内面は、前記容器内に領域または容積を区切る少なくとも一つの分離マークを有し、前記領域または容積の大きさは、前記材料のうちの一つの必要量に比例している、
ことを特徴とする講義形式の料理容器。
【請求項２】
分離マークは、印刷線、容器の材料上の浅浮き彫り線、または浮き彫り線からなる、
請求項１に記載の講義形式の料理容器。
【請求項３】
分離マークは、閉線によって画成される、
請求項１又は２に記載の講義形式の料理容器。
【請求項４】
ベースの中心と同心である、それぞれの円周線によって形成された二つの分離マークを有する、
請求項１から３のいずれか１項に記載の講義形式の料理容器。
【請求項５】
前記周囲壁に対応する内面に、閉線によって形成された分離マークを有する、
請求項１から４のいずれか１項に記載の講義形式の料理容器。
【請求項６】
前記周囲壁の周囲の回りにつばを有する、
請求項１から５のいずれか１項に記載の講義形式の料理容器。
【請求項７】
つばは、図形文字を有する、
請求項６に記載の講義形式の料理容器。
【請求項８】
つばは、手動ハンドルを画成する一つまたはそれ以上の切り抜きを有する、
請求項６又は７に記載の講義形式の料理容器。
【請求項９】
容器のつばに固定された強化リングを有する、
請求項６から８のいずれか１項に記載の講義形式の料理容器。
【請求項１０】
つばの一部分は、前記リングの上に折り重ねられている、
請求項９に記載の講義形式の料理容器。
【発明の詳細な説明】
【技術分野】
【０００１】
本発明は、容器自体が、特定の料理の調理に関して講義形式の機能を有するような方法で、料理の調理または調理法に未熟な使用者を助ける手段を備えた料理容器に関する。
本発明の目的である容器は、好ましくは「パエリヤ」の調理に使用されるようになっているが、同じ発明概念を、特に、他の料理の調理に使用されるようになった容器の製造に使用してもよい。
【背景技術】
【０００２】
ある伝統的な料理は、私たちの料理文化の一部を形成し、「パエリヤ」はそれらの一例である。しかしながら、その調理に関する知識は、一部は、時間の不足または料理に関する若者世代の興味の不足により、また一部は、ある料理の調理の無知により、失われつつある。
【０００３】
他方で、料理に興味を持つ或る人々は、ある料理を調理したいが、料理に関して未熟であるか、ある料理の調理に関して全く無知である。この観点で、料理本は、料理を調理するときのガイドとして機能する。
【発明の開示】
【発明が解決しようとする課題】
【０００４】
料理の調理において使用者をガイドする手段を有する料理容器は、従来では知られていない。
【０００５】
本発明の基礎は、容器自体が料理の調理において使用者を助けるために、ある技術的改良を料理容器に組み入れることにある。
【０００６】
より具体的には、本発明は、料理容器の内面に関して特定の領域及び／又は容積を区切る一つ又はそれ以上のマークを有し、前記領域または容積の寸法が、料理の調理に必要な材料の一つに使用される量に比例している料理容器に関する。この方法により、ある料理を調理したいが、使用されるべき材料の理想的な分量を知らない使用者は、前記マークによって区切られた領域を覆う材料の必要な量を加える必要があるだけである。これは、いわば、容器の内部に適切に位置決めされたマークは、使用されるべき材料の量のための計量装置として機能する。
【０００７】
料理容器は、好ましくは、調理法の主材料の各々のためのマークを有する。明白に、マークの各々によって区切られた領域の大きさは、二人用、三人用、または四人用等に応じて、容器の全寸法に従っている。
【０００８】
これらのマークの各々は、対応する材料を明らかにするために、あるタイプの表示を有し、例えば、材料の刻印された名前や、マーク自体が、例えば、トマトの内容にはトマトのシルエット、オイルの内容にはオリーブのシルエットというように、対応する材料のように形状づけられていてもよい。
【０００９】
本発明の目的である料理容器は、好ましくは、印刷され、スタンプされ、彫刻され、または任意の他の技術で付与された一連の図形文字を有し、これらの文字は、特定の調理法を用意する方法を記す文章を形成する。
【００１０】
容器は、容器としての機能に加えて、講義形式の機能を提供するので、使用者に料理、及び特に特定の料理の調理における興味を刺激する顕著な魅力を有する。
【００１１】
本発明の特徴のよりよい理解を助ける目的で、本発明の好ましい特定の実施形態に従って、記載の補足が行われ、一組の図面が、前記記載の一体部分として添付され、図示のためであって限定する目的でなく下記のことが図示されている。
【発明を実施するための最良の形態】
【００１２】
前述の図を見ると、本発明の好ましい実施形態の一つでは、本発明の目的である講義形式の料理容器（１）は、円形状のものであり、ベース（２）と、特定の料理の調理中、料理されるべき特定の料理の材料を受け入れるようになった内面を決定する周囲壁（３）と、で構成されることがわかる。
【００１３】
この好ましい実施形態では、容器は、前記周囲壁（３）の周囲につば（４）を形成し、図形文字（５）が、彫刻、印刷、スタンプ等の任意の既知の技術によってつば（４）に施されている。これらの図形文字（５）は、特定の料理がどのように調理されるべきかに関して、たどるべきステップの順序、材料、料理時間等を説明した調理法の形態の表示となる。
【００１４】
特に図２にわかるように、つば（４）の下側には、強化リング（６）が配置され、つば（４）の縁部が前記リング（６）の上に折り重ねられ、二つの要素が互いに固定される。つば（４）は、リング（６）をアクセス可能にしておく少なくとも一つの切り抜き（７）を有し、かくして手動ハンドルを形成する。
【００１５】
図３及び図４でわかるように、容器は、ベース（２）の内側、周囲壁（３）の内側、またはその両方の内側の前記内面に、前記内面の領域を区切る、少なくとも一つの分離マーク（８）、（９）、（１０）、（１１）を有し、前記領域の大きさは、料理の調理に必要な材料の一つの必要量に比例する。
【００１６】
前記分離マーク（８−１１）は、例えば、プリント線、容器の材料上の浅浮き彫り、または浮き彫りの線、または容器の内面の特定領域の区切りを可能にする他のどんなタイプのマークからなっていてもよい。好ましくは、分離マーク（８−１１）を構成するこの線は、分離マークの内部に、容器（１）の内面の領域を区切る閉線である。
【００１７】
図３に示す実施形態では、容器（１）は、第一円形領域（８’）を区切る、ベース（２）の中心と同心上の円周線からなる第一マーク（８）を有する。容器は、また、同心円周線からなる第二マーク（９）を特徴とし、第二マークは、第一領域（８’）が、容器（１）の内部の第二マーク（９）によって区切られる容積に含まれるような方法で、周囲壁（３）に配置されている。
【００１８】
この実施形態では、容器は、また、ベース（２）の一部分上及び周囲壁（３）の一部分上に第三マーク（１０）を有する。第四マーク（１１）が、また、マーク（８）と同心であり、且つマーク（８）内に含まれる。
【００１９】
これらのマーク（８−１１）の各々の表面積または容積は、明らかに容器の全体寸法に従って、料理、例えば「パエリヤ」を作る材料のうちの一つの量に比例する。この方法で、第二マーク（１０）は、「パエリヤ」の調理のためのオイルの必要容積を記す。第一マーク（８）は、「パエリヤ」を調理するとき、ソテーによって覆われるべき領域を特定する領域（８’）を区切る。第四マーク（１１）は、使用されるべきみじん切りのトマトの量を示す。第二マーク（９）は、米を炊くのに必要な水の量を示す。残った材料のために、追加的なマークを使用してもよく、代替的に、残った材料の量を、各々のステップの順番及びステップ毎の時間を使用者に示す機能も有する図形文字（５）によって示してもよい。
【００２０】
他の好ましい実施形態では、容器を、レンズ豆、シチュー、ガーリック中のエビ等の調理に適応させてもよい。
【００２１】
この記載及び一連の図面に照らして、当業者は、ここに記載された発明の実施形態を、発明の目的の範囲内で多くの方法で組み合わせてもよいことを理解することができるであろう。本発明は、発明のいくつかの好ましい実施形態に従って開示されたが、当業者には、請求された発明の目的を逸脱することなく、多くの変更を、前記好ましい実施形態に導入してもよいことは明白であろう。
【図面の簡単な説明】
【００２２】
【図１】本発明の目的である容器の好ましい実施形態の斜視図である。
【図２】本発明の他の実施形態の斜視図である。
【図３】図１の容器の直径方向の断面を示す正面図である。
【図４】本発明の他の実施形態の斜視図である。
【図１】
2008528153.tif 000003
【図２】
2008528153.tif 000004
【図３】
2008528153.tif 000005
【図４】
2008528153.tif 000006
【国際調査報告】
2008528153.tif 000007
2008528153.tif 000008
2008528153.tif 000009
2008528153.tif 000010
2008528153.tif 000011
2008528153.tif 000012